(57)【要約】      （修正有）【課題】飛距離に優れ、水中で浮き上がりにくく、かつ水中でロール振動を起こしにくい釣り具を提供する。【解決手段】釣り具２は、ボディ４、リップ１０及びピン１２を有している。リップは、ボディのテール寄りであってかつ背１８寄りに取り付けられている。リップは、ピン１２を軸としてボディに対して回動可能である。リップは、主部２２及び凸部２４を有し、ボディは凹部３０を有している。リップが反時計回りに回動すると、凸部２４が凹部３０に嵌まり込む。このとき、リップがボディに沿い、空気抵抗が低減される。リップが時計回りに回動すると、リップがボディに対して起立し、水受け面が形成される。【選択図】図５
0003211651.tif 000002
【実用新案登録請求の範囲】
【請求項１】
ボディと、このボディのテール寄りであってかつ背寄りに取り付けられたリップとを備えており、
上記リップが、上記ボディに対して回動可能であり、
上記リップが、回動によって、上記ボディに沿う状態と上記ボディに対して起立した状態との間を移行しうる釣り具。
【請求項２】
上記リップの回動可能角度が２０°以上６０°以下である請求項１に記載の釣り具。
【請求項３】
上記リップが上記ボディに対して起立した状態において、このリップが、前方に向かうに従って上方に向かう姿勢を有する請求項１又は２に記載の釣り具。
【請求項４】
上記リップが上記ボディに対して起立した状態において、前後方向に対するこのリップの角度が４０°以上８０°以下である請求項３に記載の釣り具。
【請求項５】
上記リップが上記ボディに沿った状態において、上記リップの先端と上記ボディとのなす段差が２．０ｍｍ以下である請求項１から４のいずれかに記載の釣り具。
【請求項６】
上記ボディが、上記リップの近傍に凹部を有しており、
上記リップが、略板状の主部とこの主部から突出する凸部とを有しており、
上記リップが上記ボディに沿った状態において、上記凸部が上記凹部に収容されうる請求項１から５のいずれかに記載の釣り具。
【請求項７】
上記ボディと上記リップとを連結する連結部をさらに備えており、
上記連結部が上記ボディに対してスライド可能であり、
上記リップが連結部と一体で上記ボディに対して回動可能である請求項１から６のいずれかに記載の釣り具。
【請求項８】
上記ボディと上記リップとを連結する連結部をさらに備えており、
上記連結部が上記ボディに対してスライド可能であり、
上記リップが連結部に対して回動することで、上記ボディに対しても回動しうる請求項１から６のいずれかに記載の釣り具。
【考案の詳細な説明】
【技術分野】
【０００１】
本考案は、ルアー、ウキ等として用いられうる釣り具に関する。
【背景技術】
【０００２】
オオクチバス、ブリ及びその幼魚、スズキ等の大型の魚は、ベイトとして小魚を補食する。これら大型の魚は、フィッシュイーターと称されている。フィッシュイーターを捕獲する手段として、ルアーフィッシングが普及している。ルアーフィッシングでは、小魚等に疑似されたルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。フィッシュイーターがルアーに食いつく頻度は、ヒット率と称されている。
【０００３】
リップを有するルアーが、市販されている。このリップは、ラインが巻かれたときの、水中でのルアーの浮き上がりを抑制する。
【０００４】
リップは、空中を飛行するときのルアーの空気抵抗を高める。従ってリップは、ルアーの飛距離を低下させる。飛距離の観点からは、リップを有さないルアーが好ましい。
【０００５】
実用新案登録第３１８６５９４号公報には、ボディに対して回動可能なリップを有するルアーが開示されている。このルアーが空中を飛行するとき、リップはボディに沿う。従って、このルアーの飛行中の空気抵抗は小さい。このルアーが水中を泳ぐとき、リップはボディに対して起立する。従ってこのリップは、水中でのルアーの浮き上がりを抑制する。
【先行技術文献】
【特許文献】
【０００６】
【特許文献１】実用新案登録第３１８６５９４号公報
【考案の概要】
【考案が解決しようとする課題】
【０００７】
ルアーが水中を泳ぐとき、ロール振動を起こすことがある。このロール振動が、ルアーに、釣り人が意図しない動きを起こさせることがある。
【０００８】
同様の問題は、飛ばしウキでも見られる。飛ばしウキは、ルアーと同様、水中を移動する。この移動時にロール振動が発生すると、この飛ばしウキが、釣り人が意図しない動きをすることがある。この動きが、飛ばしウキの安定した移動を妨げることがある。この飛ばしウキが用いられた仕掛けでは、餌を意図した棚位置にキープしづらい。
【０００９】
本考案の目的は、飛距離に優れ、水中で浮き上がりにくく、かつ水中でロール振動を起こしにくい釣り具の提供にある。
【課題を解決するための手段】
【００１０】
本考案に係る釣り具は、ボディと、このボディのテール寄りであってかつ背寄りに取り付けられたリップとを有する。このリップは、ボディに対して回動可能である。このリップは、回動によって、ボディに沿う状態とボディに対して起立した状態との間を移行しうる。
【００１１】
好ましくは、リップの回動可能角度は、２０°以上６０°以下である。
【００１２】
好ましくは、リップがボディに対して起立した状態において、このリップは、前方に向かうに従って上方に向かう姿勢を有する。好ましくは、前後方向に対するリップの角度は、４０°以上８０°以下である。
【００１３】
好ましくは、リップがボディに沿った状態において、リップの先端とボディとのなす段差は、２．０ｍｍ以下である。
【００１４】
好ましくは、ボディはリップの近傍に凹部を有しており、リップは略板状の主部とこの主部から突出する凸部とを有する。リップがボディに沿った状態において、凸部が凹部に収容されうる。
【００１５】
釣り具が、ボディとリップとを連結する連結部をさらに備えてもよい。この連結部は、ボディに対してスライド可能である。
【考案の効果】
【００１６】
本考案に係る釣り具は、飛距離に優れ、水中で浮き上がりにくく、かつ水中でロール振動を起こしにくい。
【図面の簡単な説明】
【００１７】
【図１】図１は、本考案の一実施形態に係る釣り具が示された正面図である。
【図２】図２は、図１の釣り具が示された平面図である。
【図３】図３は、図１の釣り具のリップが示された正面図である。
【図４】図４は、図３のIV−IV線に沿った断面図である。
【図５】図５は、図１の釣り具の一部が示された拡大断面図である。
【図６】図６は、図５の釣り具が示された断面図である。
【図７】図７は、図１の釣り具がルアーとして使用された様子が示された正面図である。
【図８】図８は、図１の釣り具がルアーとして使用された様子が示された正面図である。
【図９】図９は、本考案の他の実施形態に係る釣り具が示された正面図である。
【図１０】図１０は、図９の釣り具がウキとして使用された様子が示された正面図である。
【図１１】図１１は、本考案のさらに他の実施形態に係る釣り具の一部が示された断面図である。
【図１２】図１２は、本考案のさらに他の実施形態に係る釣り具の一部が示された断面図である。
【考案を実施するための形態】
【００１８】
以下、適宜図面が参照されつつ、好ましい実施形態に基づいて本考案が詳細に説明される。
【００１９】
図１及び２には、本考案の一実施形態に係る釣り具２が示されている。この釣り具２は、ルアー、ウキ等として使用されうる。図１において、矢印Ｘで示されているのは釣り具２の後方向であり、矢印Ｙで示されているのは釣り具２の上方向である。図１に紙面垂直方向は、釣り具２の幅方向である。この釣り具２は、ボディ４、ラインアイ６、フックアイ８、リップ１０及びピン１２を有している。
【００２０】
ボディ４は、硬質樹脂を基材とする樹脂組成物から形成されている。ボディ４は、ヘッド１４、テール１６、背１８及び腹２０を有している。ボディ４は、全体として細長い形状を有している。ボディ４の長手方向は、前後方向と一致している。ボディ４は、ヘッド１４の近傍において細く、テール１６の近傍において太い。従ってこのボディ４では、体積中心は、前後方向の中点よりもテール１６寄りに位置する。
【００２１】
ラインアイ６は、金属線が曲げられることによって形成されている。金属線の一部は、ボディ４に埋設されている。この埋設により、ラインアイ６がボディ４のヘッド１４に取り付けられている。ラインアイ６には、直接に、又はスプリットリング等を介して、ラインが連結されうる。ラインが引かれることにより、釣り具２が水中を泳ぐ。
【００２２】
フックアイ８は、金属線が曲げられることによって形成されている。金属線の一部は、ボディ４に埋設されている。この埋設により、フックアイ８がボディ４のテール１６に取り付けられている。フックアイ８には、スプリットリングを介して、フックが連結されうる。
【００２３】
リップ１０は、ボディ４のテール１６寄りであってかつ背１８寄りに取り付けられている。取付は、ピン１２によってなされている。
【００２４】
図３は、図１の釣り具２のリップ１０が示された正面図である。図４は、図３のIV−IV線に沿った断面図である。図３の左右方向は、釣り具２の幅方向である。このリップ１０は、主部２２、凸部２４及び固定部２６を有している。主部２２は、概して板状である。主部２２は、上向きに凸なるように湾曲している。凸部２４は、主部２２と一体的に形成されている。凸部２４は、主部２２から下向きに突出している。換言すれば、凸部２４は、主部２２から、ボディ４の側に向けて突出している。固定部２６は、主部２２と一体的に形成されている。固定部２６は、孔２８を有している。釣り具２が、凸部２４のないリップ１０を有してもよい。
【００２５】
図５は、図１の釣り具２の一部が示された拡大断面図である。図５には、ボディ４、リップ１０及びピン１２が示されている。ボディ４は、凹部３０を有している。凹部３０は、リップ１０の近傍に位置している。ピン１２は、リップ１０の孔２８（図３参照）に通されている。ピン１２はさらに、ボディ４の孔（図示されず）にも通されている。このピン１２を軸として、リップ１０はボディ４に対して回動しうる。
【００２６】
図５では、リップ１０は、ボディ４に対して起立している。具体的には、リップ１０は、背１８から起立している。リップ１０は、前方（図５の左方向）に向かうに従って上方に向かう姿勢を有する。
【００２７】
図６にも、図１の釣り具２の一部が示されている。図６では、リップ１０はボディ４に沿っている。この状態では、リップ１０の凸部２４がボディ４の凹部３０（図５参照）に嵌まり込んでいる。
【００２８】
図５に示された状態から、ピン１２を軸としてリップ１０が反時計回りに回動することにより、図６に示された状態へと移行する。図６に示された状態では、リップ１０の一部がボディ４に当接することで、さらなる回動が阻止されている。
【００２９】
図６に示された状態から、ピン１２を軸としてリップ１０が時計回りに回動することにより、図５に示された状態へと移行する。図５に示された状態では、リップ１０の一部がボディ４に当接することで、さらなる回動が阻止されている。
【００３０】
このように、リップ１０は、回動によって、ボディ４に沿う状態とボディ４に対して起立した状態との間を移行しうる。ピン１２におけるリップ１０の回動可能角度は、２０°以上６０°以下が好ましい。
【００３１】
図７は、図１の釣り具２がルアーとして使用された様子が示された正面図である。ラインアイ６には、ライン３２が連結されている。フックアイ８には、トレブルフック３４が連結されている。図７には、キャストされて空中を飛行する釣り具２が示されている。釣り具２は、図７において矢印Ａ１で示された方向に、飛行している。
【００３２】
図７に示された状態では、風圧によってリップ１０がボディ４に沿っている。リップ１０の凸部２４（図４参照）は、ボディ４の凹部３０（図５参照）に嵌まり込んでいる。この状態にある釣り具２の空気抵抗は、小さい。この釣り具２は、飛距離に優れる。釣り人は、この釣り具２を遠方まで飛ばすことができる。ターゲットであるフィッシュイーターが釣り人から遠方にいるとき、この釣り具２の使用は釣り人にとって有利である。
【００３３】
図８には、水中を泳ぐ釣り具２が示されている。この釣り具２は、矢印Ａ２の方向に移動している。この状態では、水圧によってリップ１０がボディ４に対して起立している。従ってこのリップ１０は、水受け面を形成する。このリップ１０は、水圧を受けて、テール１６の近傍に揚力を発生させる。従って釣り具２は、ライン３２が左上方に引かれているにもかかわらず、テール１６よりもヘッド１４を下げた姿勢で水中を泳いでいる。この姿勢は、釣り具２の浮き上がりを抑制する。ターゲットであるフィッシュイーターが水深の深いところにいるとき、この釣り具２の使用は釣り人にとって有利である。
【００３４】
前述の通り、リップ１０は、ボディ４のテール１６寄りであってかつ背１８寄りに取り付けられている。リップ１０がこの位置にある釣り具２では、ロール振動が抑制される。ロール振動の抑制は、ヒット率を高める。
【００３５】
前述の通り、リップ１０は凸部２４を有する。リップ１０がヨー振動を始めると、この凸部２４が復元力を生む。この復元力は、ヨー振動を抑制する。ヨー振動の抑制は、ヒット率を高める。
【００３６】
前述の通り、図５では、リップ１０の時計回りのさらなる回動が、阻止されている。図５において符号Ｌで示されているのは、ピン１２の軸中心とリップ１０の先端３６とを通過する直線である。符号θで示されているのは、この直線Ｌの、釣り具２の前後方向に対する角度である。角度θは、９０°よりも小さい。換言すれば、リップ１０が前後方向に対してなす角度は、鋭角である。このリップ１０は、浮き上がりを抑制する。この観点から、角度θは４０°（degree）以上８０°以下が好ましく、５０°以上７０°以下が特に好ましい。
【００３７】
前述の通り、図６では、リップ１０がボディ４に沿っている。図６において矢印Ｄで示されているのは、リップ１０の先端３６とボディ４とのなす段差である。空気抵抗抑制の観点から、段差Ｄの絶対値は２．０ｍｍ以下が好ましく、１．０ｍｍ以下がより好ましく、０．５ｍｍ以下が特に好ましい。理想的な段差Ｄは、ゼロである。
【００３８】
図９は、本考案の他の実施形態に係る釣り具３８が示された正面図である。この釣り具３８は、ボディ４０、ラインアイ６、リップ１０及びピン１２を有している。この釣り具３８の構成は、図１−８に示された釣り具２の構成と、ほぼ同じである。但しこの釣り具３８は、フックアイ８（図１参照）を有していない。この釣り具３８は、ウキとして使用されうる。
【００３９】
図１０には、図９の釣り具３８（ウキ）が使用された仕掛けが示されている。この仕掛けは、釣り具３８以外に、ライン４２、鉤素４４、フック４６及び餌４８を有している。この仕掛けは、水中にある。釣り具３８は、矢印Ａ３で示された方向へと移動している。図１０に示されるように、リップ１０は、水圧を受けてボディ４０に対して起立している。従って、ライン４２が引かれても、仕掛けは浮き上がりにくい。この仕掛けがキャストされたとき、風圧でリップ１０がボディ４０に沿う。このときの釣り具３８の空気抵抗は、小さい。釣り人は、この仕掛けを遠方まで飛ばすことができる。
【００４０】
図１１は、本考案のさらに他の実施形態に係る釣り具５０の一部が示された断面図である。この釣り具５０は、ルアーとして使用されうる。この釣り具５０はさらに、ウキとして使用されうる。この釣り具５０は、ボディ５２、リップ５４、連結部５６及びピン５８を有している。連結部５６は、リップ５４と一体である。この連結部５６は、ボディ５２とリップ５４とを連結している。この連結部５６は、長穴６０を有している。この長穴６０に、ピン５８が通されている。
【００４１】
図１１には、釣り具５０が水中を泳ぐ状態が示されている。長穴６０の下端にピン５８が位置しており、かつ、連結部５６は時計回りの限界に位置している。従って、リップ５４はボディ５２から離間し、かつ起立している。このリップ５４は、釣り具５０の浮き上がりを抑制しうる。
【００４２】
この釣り具５０がキャストされると、風圧を受けたリップ５４が、ピン５８を軸として、図１１に示された状態から、矢印Ａ４に示された方向（反時計回り）に回動する。さらに、ピン５８が長穴６０の上端に達するまで、連結部５６がボディ５２に対して、矢印Ａ５の方向にスライドする。このスライドは、長穴６０の中をピン５８が相対的に移動することで、達成される。この回動及びスライドにより、リップ５４はボディ５２に沿う。この釣り具５０の空気抵抗は、小さい。この釣り具５０は、遠方までキャストされうる。
【００４３】
この釣り具５０では、リップ５４が連結部５６と一体で、ボディ５２に対して回動しうる。
【００４４】
図１２は、本考案のさらに他の実施形態に係る釣り具６２の一部が示された断面図である。この釣り具６２は、ルアーとして使用されうる。この釣り具６２はさらに、ウキとして使用されうる。この釣り具６２は、ボディ６４、リップ６６、連結部６８及びピン７０を有している。ボディ６４は、２つのガイド突起７２を有している。連結部６８は、ボディ６４とリップ６６とを連結している。連結部６８は、第一長穴７４及び第二長穴７６を有している。リップ６６は、ピン７０によって連結部６８に回動可能に連結されている。リップ６６は、スライド突起７８を有している。このスライド突起７８は、第一長穴７４に嵌まっている。ガイド突起７２は、第二長穴７６に嵌まっている。
【００４５】
図１２には、釣り具６２が水中を泳ぐ状態が示されている。第一長穴７４の後端にスライド突起７８が位置しており、かつ、連結部６８は後方の限界に位置している。リップ６６はボディ６４から離間しており、かつ起立している。このリップ６６は、釣り具６２の浮き上がりを抑制しうる。
【００４６】
この釣り具６２がキャストされると、風圧を受けたリップ６６が、図１２に示された状態から、矢印Ａ６に示された方向（反時計回り）に回動する。この回動は、第一長穴７４の中をスライド突起７８が移動することで、達成される。さらに、連結部６８がボディ６４に対して、矢印Ａ７の方向にスライドする。このスライドは、第二長穴７６の中をガイド突起７２が相対的に移動することで、達成される。この回動及びスライドにより、リップ６６はボディ６４に沿う。この釣り具６２の空気抵抗は、小さい。この釣り具６２は、遠方までキャストされうる。
【００４７】
この釣り具６２では、リップ６６が連結部６８に対して回動することで、このリップ６６が間接的にボディ６４に対しても回動しうる。
【産業上の利用可能性】
【００４８】
本考案に係るルアーは、湖沼、池、ダム、川、海等の種々のフィールドでの釣りに適している。
【符号の説明】
【００４９】
２、３８、５０、６２・・・釣り具
４、４０、５２、６４・・・ボディ
１０、５４、６６・・・リップ
１２、５８、７０・・・ピン
２２・・・主部
２４・・・凸部
２６・・・固定部
２８・・・孔
３０・・・凹部
３２、４２・・・ライン
３４・・・トレブルフック
４４・・・鉤素
４６・・・フック
５６、６８・・・連結部
６０・・・長穴
７２・・・ガイド突起
７４・・・第一長穴
７６・・・第二長穴
７８・・・スライド突起
【図１】
0003211651.tif 000003
【図２】
0003211651.tif 000004
【図３】
0003211651.tif 000005
【図４】
0003211651.tif 000006
【図５】
0003211651.tif 000007
【図６】
0003211651.tif 000008
【図７】
0003211651.tif 000009
【図８】
0003211651.tif 000010
【図９】
0003211651.tif 000011
【図１０】
0003211651.tif 000012
【図１１】
0003211651.tif 000013
【図１２】
0003211651.tif 000014